(57)【要約】【課題】最適な壁色補正処理を行うことができる投影装置、壁色補正方法およびプログラムを提供することにある。【解決手段】セグメント毎の全面画像を表示素子３６に与えてこの表示色とカラーホイールのセグメントの色とが一致する期間にのみ、位相差センサに積分制御信号を与えて壁面上に投影された全面画像の反射光の明度を検出するようにセンサ制御部４２が制御するので、壁面からの反射光の明度をセグメント毎に検出することができ、セグメント毎の明度に関する補正係数に基づいて、入力されるセグメント毎の画像データを補正して表示素子３６に与えて壁面に投影するため、壁面のセグメント毎の明度に合わせて最適な壁色補正処理を行うことができる。【選択図】図７
2008028531.tif 000002
【特許請求の範囲】
【請求項１】
色分けされたセグメントを有するカラーホイールを回転し、白色光をこのセグメントに照射して透過した光を表示素子に照射し、この表示素子からの反射光をスクリーン上に投影する投影装置において、
色補正の基準となる明度と基準画像を前記セグメント毎に記憶する基準画像記憶手段と、
壁面上に投影された前記基準画像の反射光の明度を検出する明度検出手段とを備え、
前記基準画像記憶手段から読み出した前記セグメント毎の基準画像を前記表示素子に与え、この表示素子の表示色と前記セグメントの色とが一致する期間にのみ、前記明度検出手段により明度を検出するように制御する明度検出制御手段と、
前記明度検出手段により検出された前記セグメント毎の基準画像の明度と前記基準画像記憶手段から読み出した色補正の基準となる明度とに基づいて、前記セグメント毎の明度に関する補正係数を算出する算出手段と、
前記セグメント毎の補正係数に基づいて、入力される前記セグメント毎の画像データを補正する補正手段と、
この補正手段により補正された画像データを前記表示素子に与えて前記壁面上に投影する投影手段とを備えたことを特徴とする投影装置。
【請求項２】
前記明度検出制御手段は、
前記表示素子に与えられている前記基準画像の原色の種別と、前記カラーホイールのセグメントの切り替わり時期を示すセグメント信号と、前記カラーホイールの外周に設けられたマーカの位置を示すマーカ信号とに基づいて、積分制御信号を生成することを特徴とする請求項１記載の投影装置。
【請求項３】
前記カラーホイールのセグメントは、赤と緑と青の色の組、または、赤と緑と青および白の色の組からなり、
前記基準画像記憶手段は、前記カラーホイールのセグメントに合わせて、赤と緑と青の色の組、または、赤と緑と青および白の色の組からなる色補正の基準となる明度の各基準画像を記憶することを特徴とする請求項１記載の投影装置。
【請求項４】
前記明度検出手段は、
前記壁面上に投影された前記基準画像との間の水平方向または垂直方向の距離を測定するための位相差センサにより、前記壁面上に投影された前記基準画像の所定の目標点の明度を検出することを特徴とする請求項１記載の投影装置。
【請求項５】
色分けされたセグメントを有するカラーホイールを回転し、白色光をこのセグメントに照射して透過した光を表示素子に照射し、この表示素子からの反射光をスクリーン上に投影する投影装置の壁色補正方法において、
色補正の基準となる明度と基準画像を前記セグメント毎に記憶する基準画像記憶部から読み出した前記セグメント毎の前記基準画像を前記表示素子に与え、この表示素子の表示色と前記セグメントの色とが一致する期間にのみ、壁面上に投影された基準画像の反射光の明度を検出する明度検出部により明度を検出するように制御する明度検出制御ステップと、
前記明度検出部により検出された前記セグメント毎の前記基準画像の明度と前記基準画像記憶部から読み出した色補正の基準となる明度とに基づいて、前記セグメント毎の明度に関する補正係数を算出する算出ステップと、
前記セグメント毎の補正係数に基づいて、入力される前記セグメント毎の画像データを補正する補正ステップとを有し、
この補正ステップにより補正された画像データを前記表示素子に与えて前記壁面上に投影することを特徴とする投影装置の壁色補正方法。
【請求項６】
色分けされたセグメントを有するカラーホイールを回転し、白色光をこのセグメントに照射して透過した光を表示素子に照射し、この表示素子からの反射光をスクリーン上に投影する投影装置に内蔵されたコンピュータが実行するプログラムにおいて、
色補正の基準となる明度と基準画像を前記セグメント毎に記憶する基準画像記憶部から読み出した前記セグメント毎の基準画像を前記表示素子に与え、この表示素子の表示色と前記セグメントの色とが一致する期間にのみ、壁面上に投影された基準画像の反射光の明度を検出する明度検出部により明度を検出するように制御する明度検出制御ステップと、
前記明度検出部により検出された前記セグメント毎の基準画像の明度と前記基準画像記憶部から読み出した色補正の基準となる明度とに基づいて、前記セグメント毎の明度に関する補正係数を算出する算出ステップと、
前記セグメント毎の補正係数に基づいて、入力される前記セグメント毎の画像データを補正する補正ステップとを、コンピュータが実行することを特徴とするプログラム。
【請求項７】
赤色光、緑色光、青色光をそれぞれ発光するＬＥＤからなるＬＥＤ光源の点灯を制御して、該ＬＥＤ光源からの発色光を表示素子に照射し、この表示素子からの反射光をスクリーンに投影する投影装置において、
色補正の基準となる明度と基準画像を前記ＬＥＤ光源からの発色光毎に記憶する基準画像記憶手段と、
壁面上に投影された前記基準画像の反射光の明度を検出する明度検出手段とを備え、
前記基準画像記憶手段から読み出した前記ＬＥＤ光源からの発色光毎の基準画像を前記表示素子に与え、この表示素子の表示色と前記ＬＥＤ光源からの発色光の色とが一致する期間にのみ、前記明度検出手段により明度を検出するように制御する明度検出制御手段と、
前記明度検出手段により検出された前記ＬＥＤ光源からの発色光毎の基準画像の明度と前記基準画像記憶手段から読み出した色補正の基準となる明度とに基づいて、前記ＬＥＤ光源からの発色光毎の明度に関する補正係数を算出する算出手段と、
前記ＬＥＤ光源からの発色光毎の補正係数に基づいて、入力される前記セグメント毎の画像データを補正する補正手段と、
この補正手段により補正された画像データを前記表示素子に与えて前記壁面上に投影する投影手段とを備えたことを特徴とする投影装置。
【請求項８】
赤色光、緑色光、青色光をそれぞれ発光するＬＥＤからなるＬＥＤ光源の点灯を制御して、該ＬＥＤ光源からの発色光を表示素子に照射し、この表示素子からの反射光をスクリーンに投影する投影装置の壁色補正方法において、
色補正の基準となる明度と基準画像を前記ＬＥＤ光源からの発色光毎に記憶する基準画像記憶部から読み出した前記ＬＥＤ光源からの発色光毎の基準画像を前記表示素子に与え、この表示素子の表示色と前記ＬＥＤ光源からの発色光の色とが一致する期間にのみ、壁面上に投影された前記基準画像の反射光の明度を検出する明度検出部により明度を検出するように制御する明度検出制御ステップと、
前記明度検出部により検出された前記ＬＥＤ光源からの発色光毎の基準画像の明度と前記基準画像記憶部から読み出した色補正の基準となる明度とに基づいて、前記ＬＥＤ光源からの発色光毎の明度に関する補正係数を算出する算出ステップと、
前記ＬＥＤ光源からの発色光毎の補正係数に基づいて、入力される前記セグメント毎の画像データを補正する補正ステップとを有し、
この補正ステップにより補正された画像データを前記表示素子に与えて前記壁面上に投影することを特徴とする投影装置の壁色補正方法。
【請求項９】
赤色光、緑色光、青色光をそれぞれ発光するＬＥＤからなるＬＥＤ光源の点灯を制御して、該ＬＥＤ光源からの発色光を表示素子に照射し、この表示素子からの反射光をスクリーンに投影する投影装置に内蔵されたコンピュータが実行するプログラムにおいて、
色補正の基準となる明度と基準画像を前記ＬＥＤ光源からの発色光毎に記憶する基準画像記憶部から読み出した前記ＬＥＤ光源からの発色光毎の基準画像を前記表示素子に与え、この表示素子の表示色と前記ＬＥＤ光源からの発色光の色とが一致する期間にのみ、壁面上に投影された前記基準画像の反射光の明度を検出する明度検出部により明度を検出するように制御する明度検出制御ステップと、
前記明度検出部により検出された前記ＬＥＤ光源からの発色光毎の基準画像の明度と前記基準画像記憶部から読み出した色補正の基準となる明度とに基づいて、前記ＬＥＤ光源からの発色光毎の明度に関する補正係数を算出する算出ステップと、
前記ＬＥＤ光源からの発色光毎の補正係数に基づいて、入力される前記セグメント毎の画像データを補正する補正ステップとを、コンピュータが実行することを特徴とするプログラム。
【発明の詳細な説明】
【技術分野】
【０００１】
本発明は、投影装置、壁色補正方法およびプログラムに関し、例えば、最適な壁色補正処理を行うことができる投影装置、壁色補正方法およびプログラムに関する。
【背景技術】
【０００２】
カラー画像を色が塗布された壁等に投影した場合にも、良好な色再現を実現できる壁色補正処理やウオールショットと呼ばれる技術が知られている。
【０００３】
従来の「プロジェクタの投射面色補正方法」では、色が塗布された壁等の投射面をカラーセンサを用いて撮影してこの投影面の色を測定しておき、原色光の色の変化を計算することにより、測色的に正しい色再現を行うことを可能にするため、色が塗布された投射面に対しても良い色再現を行うことができるという利点を有している（例えば、特許文献１参照）。
【特許文献１】特開２００３−３３３６１１号公報
【発明の開示】
【発明が解決しようとする課題】
【０００４】
しかしながら、ＤＬＰ（Ｄｉｇｉｔａｌ  Ｌｉｇｈｔ  Ｐｒｏｃｅｓｓｉｎｇ）方式のプロジェクタにあっては、回転中のカラーホイールのセグメントを通過した光を表示素子に出射してこの表示素子により反射された光をスクリーン上に投影することで、それぞれ色時分割された投影像が出力されている。
【０００５】
このため、例えば緑色のみの画像を表示素子に表示してスクリーン上に投影しておき、例えば測距に用いる位相差センサを利用して、スクリーンからの反射光を位相差センサで受光してその検出された光の強度に基づいて壁色補正を行おうとした場合、例えばカラーホイールが赤色セグメントになった時点から位相差センサに積分されることもあるので、位相差センサにより得られたセンサ出力をそのまま壁色補正処理に利用できないといった問題があった。
【０００６】
同様に、カラーホイールが青色セグメントや白色セグメントになった時点から位相差センサに積分された場合でも、位相差センサにより得られたセンサ出力をそのまま壁色補正処理に利用できないといった問題があった。
【０００７】
本発明は、上記に鑑みてなされたもので、その目的としては、最適な壁色補正処理を行うことができる投影装置、壁色補正方法およびプログラムを提供することにある。
【課題を解決するための手段】
【０００８】
（１）本発明は、色分けされたセグメントを有するカラーホイールを回転し、白色光をこのセグメントに照射して透過した光を表示素子に照射し、この表示素子からの反射光をスクリーン上に投影する投影装置において、色補正の基準となる明度と基準画像を前記セグメント毎に記憶する基準画像記憶手段と、壁面上に投影された前記基準画像の反射光の明度を検出する明度検出手段とを備え、前記基準画像記憶手段から読み出した前記セグメント毎の基準画像を前記表示素子に与え、この表示素子の表示色と前記セグメントの色とが一致する期間にのみ、前記明度検出手段により明度を検出するように制御する明度検出制御手段と、前記明度検出手段により検出された前記セグメント毎の基準画像の明度と前記基準画像記憶手段から読み出した色補正の基準となる明度とに基づいて、前記セグメント毎の明度に関する補正係数を算出する算出手段と、前記セグメント毎の補正係数に基づいて、入力される前記セグメント毎の画像データを補正する補正手段と、この補正手段により補正された画像データを前記表示素子に与えて前記壁面上に投影する投影手段とを備えたことを特徴とする。
【０００９】
（２）本発明は、色分けされたセグメントを有するカラーホイールを回転し、白色光をこのセグメントに照射して透過した光を表示素子に照射し、この表示素子からの反射光をスクリーン上に投影する投影装置の壁色補正方法において、色補正の基準となる明度と基準画像を前記セグメント毎に記憶する基準画像記憶部から読み出した前記セグメント毎の前記基準画像を前記表示素子に与え、この表示素子の表示色と前記セグメントの色とが一致する期間にのみ、壁面上に投影された基準画像の反射光の明度を検出する明度検出部により明度を検出するように制御する明度検出制御ステップと、前記明度検出部により検出された前記セグメント毎の前記基準画像の明度と前記基準画像記憶部から読み出した色補正の基準となる明度とに基づいて、前記セグメント毎の明度に関する補正係数を算出する算出ステップと、前記セグメント毎の補正係数に基づいて、入力される前記セグメント毎の画像データを補正する補正ステップとを有し、この補正ステップにより補正された画像データを前記表示素子に与えて前記壁面上に投影することを特徴とする。
【００１０】
（３）本発明は、色分けされたセグメントを有するカラーホイールを回転し、白色光をこのセグメントに照射して透過した光を表示素子に照射し、この表示素子からの反射光をスクリーン上に投影する投影装置に内蔵されたコンピュータが実行するプログラムにおいて、色補正の基準となる明度と基準画像を前記セグメント毎に記憶する基準画像記憶部から読み出した前記セグメント毎の基準画像を前記表示素子に与え、この表示素子の表示色と前記セグメントの色とが一致する期間にのみ、壁面上に投影された基準画像の反射光の明度を検出する明度検出部により明度を検出するように制御する明度検出制御ステップと、前記明度検出部により検出された前記セグメント毎の基準画像の明度と前記基準画像記憶部から読み出した色補正の基準となる明度とに基づいて、前記セグメント毎の明度に関する補正係数を算出する算出ステップと、前記セグメント毎の補正係数に基づいて、入力される前記セグメント毎の画像データを補正する補正ステップとを、コンピュータが実行することを特徴とする。
【００１１】
（４）本発明は、赤色光、緑色光、青色光をそれぞれ発光するＬＥＤからなるＬＥＤ光源の点灯を制御して、該ＬＥＤ光源からの発色光を表示素子に照射し、この表示素子からの反射光をスクリーンに投影する投影装置において、色補正の基準となる明度と基準画像を前記ＬＥＤ光源からの発色光毎に記憶する基準画像記憶手段と、壁面上に投影された前記基準画像の反射光の明度を検出する明度検出手段とを備え、前記基準画像記憶手段から読み出した前記ＬＥＤ光源からの発色光毎の基準画像を前記表示素子に与え、この表示素子の表示色と前記ＬＥＤ光源からの発色光の色とが一致する期間にのみ、前記明度検出手段により明度を検出するように制御する明度検出制御手段と、前記明度検出手段により検出された前記ＬＥＤ光源からの発色光毎の基準画像の明度と前記基準画像記憶手段から読み出した色補正の基準となる明度とに基づいて、前記ＬＥＤ光源からの発色光毎の明度に関する補正係数を算出する算出手段と、前記ＬＥＤ光源からの発色光毎の補正係数に基づいて、入力される前記セグメント毎の画像データを補正する補正手段と、この補正手段により補正された画像データを前記表示素子に与えて前記壁面上に投影する投影手段とを備えたことを特徴とする。
【００１２】
（５）本発明は、赤色光、緑色光、青色光をそれぞれ発光するＬＥＤからなるＬＥＤ光源の点灯を制御して、該ＬＥＤ光源からの発色光を表示素子に照射し、この表示素子からの反射光をスクリーンに投影する投影装置の壁色補正方法において、色補正の基準となる明度と基準画像を前記ＬＥＤ光源からの発色光毎に記憶する基準画像記憶部から読み出した前記ＬＥＤ光源からの発色光毎の基準画像を前記表示素子に与え、この表示素子の表示色と前記ＬＥＤ光源からの発色光の色とが一致する期間にのみ、壁面上に投影された前記基準画像の反射光の明度を検出する明度検出部により明度を検出するように制御する明度検出制御ステップと、前記明度検出部により検出された前記ＬＥＤ光源からの発色光毎の基準画像の明度と前記基準画像記憶部から読み出した色補正の基準となる明度とに基づいて、前記ＬＥＤ光源からの発色光毎の明度に関する補正係数を算出する算出ステップと、前記ＬＥＤ光源からの発色光毎の補正係数に基づいて、入力される前記セグメント毎の画像データを補正する補正ステップとを有し、この補正ステップにより補正された画像データを前記表示素子に与えて前記壁面上に投影することを特徴とする。
【００１３】
（６）本発明は、赤色光、緑色光、青色光をそれぞれ発光するＬＥＤからなるＬＥＤ光源の点灯を制御して、該ＬＥＤ光源からの発色光を表示素子に照射し、この表示素子からの反射光をスクリーンに投影する投影装置に内蔵されたコンピュータが実行するプログラムにおいて、色補正の基準となる明度と基準画像を前記ＬＥＤ光源からの発色光毎に記憶する基準画像記憶部から読み出した前記ＬＥＤ光源からの発色光毎の基準画像を前記表示素子に与え、この表示素子の表示色と前記ＬＥＤ光源からの発色光の色とが一致する期間にのみ、壁面上に投影された前記基準画像の反射光の明度を検出する明度検出部により明度を検出するように制御する明度検出制御ステップと、前記明度検出部により検出された前記ＬＥＤ光源からの発色光毎の基準画像の明度と前記基準画像記憶部から読み出した色補正の基準となる明度とに基づいて、前記ＬＥＤ光源からの発色光毎の明度に関する補正係数を算出する算出ステップと、前記ＬＥＤ光源からの発色光毎の補正係数に基づいて、入力される前記セグメント毎の画像データを補正する補正ステップとを、コンピュータが実行することを特徴とする。
【発明の効果】
【００１４】
本発明によれば、色分けされたセグメントを有するカラーホイールを回転し、白色光をこのセグメントに照射して透過した光を表示素子に照射し、この表示素子からの反射光をスクリーン上に投影する投影装置にあっても、セグメント毎の基準画像を表示素子に与えて、この表示色とカラーホイールのセグメントの色とが一致する期間にのみ、明度検出手段により壁面上に投影された基準画像の反射光の明度を検出するように制御するので、壁面からの反射光の明度をセグメント毎に検出することができ、セグメント毎の明度に関する補正係数に基づいて、入力されるセグメント毎の画像データを補正して表示素子に与えて壁面に投影するため、壁面の原色毎の明度に合わせて最適な壁色補正処理を行うことができる。
【００１５】
また、本発明によれば、赤色光、緑色光、青色光をそれぞれ発光するＬＥＤからなるＬＥＤ光源の点灯を制御して、該ＬＥＤ光源からの発色光を表示素子に照射し、この表示素子からの反射光をスクリーンに投影する投影装置にあっても、ＬＥＤ光源からの発色光毎の基準画像を表示素子に与えて、この表示色とＬＥＤ光源からの発色光の色とが一致する期間にのみ、明度検出手段により壁面上に投影された基準画像の反射光の明度を検出するように制御するので、壁面からの反射光の明度をＬＥＤ光源からの発色光毎に検出することができ、ＬＥＤ光源からの発色光毎の明度に関する補正係数に基づいて、入力されるＬＥＤ光源からの発色光毎の画像データを補正して表示素子に与えて壁面に投影するため、壁面の原色毎の明度に合わせて最適な壁色補正処理を行うことができる。
【発明を実施するための最良の形態】
【００１６】
以下に、本発明の実施形態を図面を参照して説明する。
【００１７】
［第１の実施形態］
図１は本発明の第１の実施形態に係る投影装置として小型のプロジェクタ装置を例にした場合の外観構成を示す図であり、図１（Ａ）は上から見た場合の斜視図、同図（Ｂ）は下から見た場合の斜視図である。
【００１８】
図１（Ａ）に示すように、このプロジェクタ装置１０は、直方体状の本体ケーシング１１の前面に、投影レンズ１２、２つの位相差センサ１３１および１３２、Ｉｒ受信部１４が設けられている。
【００１９】
投影レンズ１２は、後述するマイクロミラー素子等の空間的光変調素子により形成された光像を投影するためのものであり、この実施形態では合焦位置およびズーム位置（投影画角）を任意に可変できるものとする。
【００２０】
位相差センサ１３１および１３２は、それぞれ被写体像に対する視差から三角測距の原理に基づいて被写体までの距離、具体的にはスクリーン上の画像までの距離を測定するものである。具体的には、本体ケーシング１１に対して縦方向に配置された位相差センサ１３１の測距レンズ１３ａ，１３ｂで縦方向（垂直方向）の被写体までの距離を測定し、位相差センサ１３１に対して横方向に配置された位相差センサ１３２の測距レンズ１３ｃ，１３ｄで横方向（水平方向）の被写体までの距離を測定するように構成されている。
【００２１】
Ｉｒ受信部１４は、図示しないこのプロジェクタ装置１０のリモートコントローラ（図示しない）からのキー操作信号が重畳された赤外光を受信する。
【００２２】
また、本体ケーシング１１の上面には、本体メインキー／インジケータ１５、スピーカ１６、およびカバー１７が配設される。なお、本体メインキー／インジケータ１５の詳細については後述する。スピーカ１６は、動画像の再生時等に音声を拡声出力する。カバー１７は、ここではサブキー（図示しない）を操作する際に開閉する。このサブキーは、プロジェクタ装置１０のリモートコントローラを使用せずに、本体メインキー／インジケータ１５のキーでは設定指示できない詳細な各種動作等を設定指示するために操作される。
【００２３】
さらに、図１（Ｂ）に示すように、本体ケーシング１１の背面には、入出力コネクタ部１８、Ｉｒ受信部１９、およびＡＣアダプタ接続部２０が配設される。
【００２４】
入出力コネクタ部１８は、例えばパーソナルコンピュータ等の外部機器との接続のためのＵＳＢ端子、映像入力用のミニＤ−ＳＵＢ端子、Ｓ端子、およびＲＣＡ端子と、音声入力用のステレオミニ端子等からなる。
【００２５】
Ｉｒ受信部１９は、Ｉｒ受信部１４と同様に、リモートコントローラ（図示しない）からのキー操作信号が重畳された赤外光を受信する。ＡＣアダプタ接続部２０は、電源となる図示しないＡＣアダプタからのケーブルを接続する。
【００２６】
また、本体ケーシング１１の下面には、背面側に一対の固定脚部２１ａ，２１ｂが取り付けられるとともに、前面側に高さ調節が可能な調整脚部２２が取り付けられる。調整脚部２２は、そのねじ回転位置を手動で操作することにより、正確には投影レンズ１２の投影方向の鉛直方向成分、すなわち仰角を調整する。
【００２７】
図２は本体メインキー／インジケータ１５の詳細な配置構成を示す図である。
【００２８】
本体メインキー／インジケータ１５には、電源（ｐｏｗｅｒ）キー１５ａ、ズーム（Ｚｏｏｍ）キー１５ｂ、フォーカス（Ｆｏｃｕｓ）キー１５ｃ、「ＡＦＫ」キー１５ｄ、「Ｉｎｐｕｔ」キー１５ｅ、「Ａｕｔｏ」キー１５ｆ、「ｍｅｎｕ」キー１５ｇ、「Ｋｅｙ−ｓｔｏｎｅ」キー１５ｈ、「ＨＥＬＰ」キー１５ｉ、「Ｅｓｃ」キー１５ｊ、「アップ（↑）」キー１５ｋ、「ダウン（↓）」キー１５ｌ、「レフト（←）」キー１５ｍ、「ライト（→）」キー１５ｎ、および「Ｅｎｔｅｒ」キー１５ｏと、電源／待機（Ｐｏｗｅｒ／ｓｔａｎｄｂｙ）インジケータ１５ｐ、温度（ＴＥＭＰ）インジケータ１５ｑ、および「ＷＳ」キー１５ｒを備える。
【００２９】
電源キー１５ａは、電源のオン／オフを指示する。ズームキー１５ｂは、「△」「▽」の操作によりズームアップ（ｔｅｌｅ）およびズームダウン（ｗｉｄｅ）を指示する。
【００３０】
フォーカスキー１５ｃは、「△」「▽」の操作により合焦位置の前方向および後方向への移動を指示する。「ＡＦＫ」キー１５ｄは、自動合焦（Ａｕｔｏｍａｔｉｃ  Ｆｏｃｕｓ）と自動台形補正（Ａｕｔｏｍａｔｉｃ  Ｋｅｙｓｔｏｎｅ  ｃｏｒｒｅｃｔｉｏｎ）の即時実行を指示する。
【００３１】
「Ｉｎｐｕｔ」キー１５ｅは、入出力コネクタ部１８のいずれかに入力される映像信号の手動切換えを指示し、「Ａｕｔｏ」キー１５ｆは、同入出力コネクタ部１８のいずれかに入力される映像信号の自動切換えを指示する。
【００３２】
「ｍｅｎｕ」キー１５ｇは、投影動作に関する各種メニュー項目の表示を指示し、「Ｋｅｙｓｔｏｎｅ」キー１５ｈは、台形補正の手動操作を指示する。「ＨＥＬＰ」キー１５ｉは、指示操作が不明な場合の各種ヘルプ情報の表示を指示し、「Ｅｓｃ」キー１５ｊはその時点での操作の解除を指示する。
【００３３】
「アップ」キー１５ｋ、「ダウン」キー１５ｌ、「レフト」キー１５ｍ、および「ライト」キー１５ｎは、メニュー項目や手動台形補正方向、ポインタやカーソル等その時点で選択または移動方向を指示する場合に応じて操作する。
【００３４】
電源／待機インジケータ１５ｐは、電源のオン／オフ状態と映像信号の入力がない状態を例えば緑色と赤色のＬＥＤの点灯／消灯あるいは点滅により表示する。温度インジケータ１５ｑは、画像投影の光源となるランプの温度が投影に適した状態となっているか否かを例えば緑色と赤色のＬＥＤの点灯／消灯あるいは点滅により表示する。「ＷＳ」キー１５ｒは、壁色補正処理の即時実行を指示する。
【００３５】
図３はプロジェクタ装置１０の電子回路の機能構成を示すブロック図である。図３において、例えばＲＧＢ仕様のアナログ信号からなる映像信号が入出力コネクタ部１８より入力されると、入出力インタフェース（Ｉ／Ｆ）部３１に設けられたビデオＡ／Ｄ変換器３１ａ、３１ｂ、３１ｃによりＡ／Ｄ変換されてスケーラ部３２に出力される。スケーラ部３２は、表示素子３６の解像度に見合った画像データになるように所定のフォーマットの映像信号に統一した後に表示コントローラ部３３へ出力する。
【００３６】
なお、入出力コネクタ部１８より入力された各種規格の映像信号は、入出力インタフェース（Ｉ／Ｆ）部３１、システムバスＳＢを介してスケーラ部３２で所定のフォーマットの映像信号に統一された後に表示コントローラ部３３へ送られる。
【００３７】
表示コントローラ部３３は、スケーラ部３２やコントローラ部３９から入力される画像データをビデオＲＡＭ部３４に展開記憶させるとともに、このビデオＲＡＭ部３４の記憶内容からビデオ信号を発生する。
【００３８】
この表示コントローラ部３３では、ビデオＲＡＭ部３４に記憶されている画像データを適宜フレームレートで読み出してビデオ信号を生成し、このビデオ信号を例えば３０［フレーム／秒］で空間的光変調素子（ＳＯＭ）からなる表示素子３６を表示駆動する。例えば超高圧水銀灯等の光源ランプ３７が出射する高輝度の白色光をこの表示素子３６に対して照射することで、表示素子３６からの反射光を投影レンズ１２を介してスクリーン５６上に投影することで光像が形成され表示される。投影レンズ１２は、ズーム／フォーカス制御部３８により制御されるレンズモータ（図示しない）により駆動されることで、ズーム位置およびフォーカス位置を適宜移動する。
【００３９】
コントローラ部３９は、マイクロコンピュータからなり、後述する自動合焦処理および自動台形補正処理を含む動作プログラムを固定的に記憶したＲＯＭ（Ｒｅａｄ  Ｏｎｌｙ  Ｍｅｍｏｒｙ）、およびワークメモリとして使用されるＲＡＭ（Ｒａｎｄｏｍ  Ａｃｃｅｓｓ  Ｍｅｍｏｒｙ）、ＲＯＭから読み出した動作プログラムを実行するＣＰＵ等を備える。コントローラ部３９は、各回路のすべての動作制御を行う。また、このコントローラ部３９には、システムバスＳＢを介して画像記憶部４０、音声処理部４１、センサ制御部４２が接続される。
【００４０】
画像記憶部４０は、例えばフラッシュメモリ等からなり、後述する赤色全面画像、緑色全面画像、白色全面画像、青色全面画像、及びそれぞれの色に対応した色補正の基準となる明度データ、チャート画像（横チャート画像および縦チャート画像）やユーザロゴ画像の画像データを記憶する。コントローラ部３９は、指示された画像データを画像記憶部４０から適宜読み出し、表示コントローラ部３３を介してビデオＲＡＭ部３４に記憶させる。なお、赤色全面画像、緑色全面画像、白色全面画像および青色全面画像は、白色のスクリーン上に表示する場合の各色の色補正の基準となる画像データからなる。
【００４１】
なお、カラーホイール４５のセグメントが、赤と緑と青の色の組からなる場合には、画像記憶部４０は、カラーホイール４５のセグメントに合わせて、赤と緑と青の色の組からなる色補正の基準となる明度の各全面画像及び明度データを記憶する。また、カラーホイール４５のセグメントが、赤と緑と青および白の色の組からなる場合には、画像記憶部４０は、カラーホイール４５のセグメントに合わせて、赤と緑と青および白の色の組からなる色補正の基準となる明度の各全面画像及び明度データを記憶する。
【００４２】
音声処理部４１は、ＰＣＭ音源等の音源回路を備え、投影表示動作時に与えられる音声データをアナログ化して音声信号を生成し、スピーカ１６を駆動して拡声放音させる。
【００４３】
センサ制御部４２は、測距レンズ１３ａ，１３ｂを有する位相差センサ１３１と測距レンズ１３ｃ，１３ｄを有する位相差センサ１３２とにセンサ積分制御信号Ｓ１，Ｓ３を出力してこれらのセンサを駆動し、位相差センサ１３１，１３２から出力されるセンサ出力信号Ｓ２，Ｓ４を入力する。センサ制御部４２は、内部にセンサ出力信号Ｓ２，Ｓ４をデジタル信号に変換する例えば８ｂｉｔの分解能を有するＡ／Ｄ変換器４２ａを有し、このセンサ出力データをコントローラ部３９に設けられたＲＡＭに出力する。センサ制御部４２から出力されたセンサ出力データをＲＡＭに記憶したコントローラ部３９は、後述する投影表示されたチャート画像中の任意のポイント位置までの距離を測定する。
【００４４】
センサ制御部４２は、ＣＷ（Ｃｏｌｏｒ  Ｗｈｅｅｌ）制御部４４からセグメントの切り替わり時期を示すカラーホイールセグメント信号Ｓ８と、マーカの位置を示すマーカ信号Ｓ９を入力し、コントローラ部３９から例えば赤色の明度データを取得することを示す予告指令Ｎｒをラッチに保持した場合に、センサ積分制御信号Ｓ３ｒを生成する。
【００４５】
センサ制御部４２は、例えば図９に示すような回路により構成されている。コントローラ部３９からの予告指令データをアドレス指定して書き込まれるラッチ回路４２ｃと、ロード信号となるマーカ信号Ｓ９が入力された時点で「０」をロードし、カラーホイールセグメント信号Ｓ８を０〜３まで繰り返しカウントするカウンタ回路４２ｄと、ラッチ回路４２ｃに保持された予告指令データとカウンタ回路４２ｄのカウント値とが一致したときにハイレベルのパルス信号を出力するゲート回路４２ｅ，４２ｆ，４２ｇ，４２ｈと、ゲート回路４２ｅ，４２ｆ，４２ｇ，４２ｈのいずれか１つから出力されるパルス信号をセンサ積分制御信号Ｓ３として出力するゲート回路４２ｉとから構成されている。
【００４６】
ＣＷ制御部４４は、表示コントローラ部３３から出力される同期信号Ｓ５に応じて制御されており、この同期信号Ｓ５の垂直同期信号に同期するカラーホイールモータ駆動信号Ｓ６をモータ（図示しない）に与えてカラーホイール４５を回転させる。ＣＷ制御部４４は、後述するフォトカプラ（図示しない）上をカラーホイールのマーカ部が通過したことを示すマーカ信号Ｓ７を入力してセンサ制御部４２に出力する。
【００４７】
このカラーホイール４５は、円形形状の光透過板であり、Ｗ，Ｒ，Ｇ，Ｂの４色に塗り分けられた透過板により光源ランプ３７から照射される白色光の内１色を透過する。カラーホイール４５の例えば青色透過板の外周に１カ所のマーカ部（図示しない）が設けられており、カラーホイール４５が回転してマーカ部がフォトカプラ（図示しない）上を通過したことを検出して１回転に１回発生するハイレベルのパルスからなるマーカ信号をＣＷ制御部４４に出力する。
【００４８】
カラーホイール４５を透過した光は、インテグレータ４７を介してミラー４８の方向に出射され、ミラー４８の反射面により反射された光が表示素子３６のそれぞれの画素により反射され、さらに、それぞれの画素から光軸方向に反射された光が投影レンズ１２を介してスクリーン５６上に投影される。
【００４９】
なお、本体メインキー／インジケータ１５とカバー１７内に備えられる本体サブキーによりキー／インジケータ部４３を構成し、このキー／インジケータ部４３におけるキー操作信号が直接にコントローラ部３９に入力され、また、コントローラ部３９は電源／待機インジケータ１５ｐおよび温度インジケータ１５ｑを直接点灯／点滅駆動する一方で、Ｉｒ受信部１４およびＩｒ受信部１９により受光された赤外光受信信号も直接にコントローラ部３９に入力される。
【００５０】
次に、図４，図５を参照して、このプロジェクタ装置１０に用いられる位相差センサ方式による全面画像の色レベルの検出方法について説明する。なお、ここではプロジェクタ装置１０に設けられた２組の位相差センサ１３１，１３２のうち、水平測距に用いる位相差センサ１３２を利用して全面画像の色レベルを検出する。なお、垂直測距用の位相差センサ１３１についても同様である。なお、２組の位相差センサ１３１，１３２は、プロジェクタ装置１０にあっては通常は三角測距に用いられている。
【００５１】
図４はその説明図であり、水平測距に用いる位相差センサ１３２を上から見た場合を示している。位相差センサ１３２は、一対の測距レンズ１３ｃ，１３ｄと、この測距レンズ１３ｃ，１３ｄに対向して配設された一対のフォトセンサアレイ５１，５２とから構成されている。
【００５２】
位相差センサ１３２を構成する一対のフォトセンサアレイ５１，５２は、それぞれに一列に配設された数百ｂｉｔのフォトセンサを有するラインセンサで構成される。これらのフォトセンサを複数のグループに分け、通常はそのグループ毎に多点測距を行う。
【００５３】
詳しくは、図４に示す例では、フォトセンサアレイ５１、５２に含まれるフォトセンサをそれぞれに３つのグループに分け、Ａ１とＡ２グループのフォトセンサを用いてスクリーン５６に向かって右側を測距し、Ｂ１とＢ２グループのフォトセンサを用いてスクリーン５６の中央付近を測距し、Ｃ１とＣ２グループのフォトセンサを用いてスクリーン５６に向かって左側を測距する場合が示されている。
【００５４】
この実施形態においては、スクリーン５６の中央付近を観測対象とし、フォトセンサアレイ５１のＡ１グループ、またはフォトセンサアレイ５２のＣ２グループを用いて全面画像の色レベルを検出する。
【００５５】
図５は、スクリーン５６上に赤色全面画像６１を表示した例であり、位相差センサ１３１，１３２にてＡ１グループ、またはＣ２グループを用いれば、赤色全面画像６１の中央付近の色レベルを検出することができる。なお、位相差センサ１３１にて中央付近の全面画像の色レベルを検出する場合も同様である。
【００５６】
図５には、スクリーン５６上に赤色全面画像６１を表示した例を示したが、スクリーン５６上に緑色全面画像、白色全面画像および青色全面画像をそれぞれ個別に表示して中央付近の全面画像の色レベルを検出すれば、各色に関する基準レベルを検出することができ、その結果を画像記憶部４０に記憶しておけばよい。
【００５７】
以下に、図６から図９を参照して、第１の実施形態の動作について詳しく説明する。
【００５８】
図６は、電源がオンされている状態で、本体メインキー／インジケータ１５の「ＷＳ」キー１５ｒの操作により強制的に実行される割込み処理としての壁色補正処理の内容を示すフローチャートであり、コントローラ部３９に設けられたＣＰＵがＲＯＭに記憶されている動作プログラムを読み出して順次実行することで制御される。
【００５９】
なお、ここでは「ＷＳ」キー１５ｒの操作に対応して壁色補正処理を１回のみ実行するワンショットモードと、「ＷＳ」キー１５ｒが１回目に操作されてから再度２回目が操作されるまでの間、壁色補正処理を繰返し連続して実行するコンティニューモードとのいずれか一方を、予め本体メインキー／インジケータ１５の「ｍｅｎｕ」キー１５ｇと「アップ」キー１５ｋ、「ダウン」キー１５ｌ、および「Ｅｎｔｅｒ」キー１５ｏ等の操作によりユーザが任意に切換設定しておくものとする。
【００６０】
その処理当初には、「ＷＳ」キー１５ｒの操作がなされるのを待機し（ステップＡ１０）、「ＷＳ」キー１５ｒが操作されたと判断した時点で、それまでの動作を中断して割込み処理としての壁色補正処理を開始する状態を設定した上で（ステップＡ２０）、まず１回目の壁色補正処理を実行する（ステップＡ３０）。
【００６１】
図７は、この壁色補正処理の内容を示すサブルーチンであり、図８は、この壁色補正処理を行うときのタイミングチャートであり、図９はセンサ制御部４２の回路構成例である。その当初には投影レンズ１２を含む投影系において、コントローラ部３９は、画像記憶部４０に記憶されている赤色全面画像の画像データを読み出し、この画像データをスケーラ部３２から表示コントローラ部３３を介してビデオＲＡＭ部３４に転送し、赤色全面画像の画像データをビデオＲＡＭ部３４に記憶させることで、赤色全面画像を壁面に投影表示させる（ステップＢ１０）。
【００６２】
これと同時に、ステップＢ１０では、コントローラ部３９は赤色全面画像を投影したときの赤色の明度データを位相差センサ１３２から取得することを示す予告指令Ｎｒを前もってセンサ制御部４２に出力することで、センサ制御部４２に設けられたラッチに保持される。この予告指令Ｎｒを受け付けたセンサ制御部４２は、カラーホイールセグメント信号Ｓ８を計数してカラーホイールセグメントが赤色になったときのみ（表示素子３６の表示色とセグメントの色とが一致する期間）、期間ｔ２〜ｔ３でハイレベルとなるセンサ積分制御信号Ｓ３ｒ（図８参照）を位相差センサ１３２に出力する。
【００６３】
具体的には、コントローラ部３９からの赤色を示す予告指令Ｎｒ（０１）が、センサ制御部４２に設けられたラッチ回路４２ｃにアドレス指定して書き込まれる。一方、カウンタ回路４２ｄは、ロード信号となるマーカ信号Ｓ９が入力された時点で「０」をロードし、カラーホイールセグメント信号Ｓ８を０〜３までカウントしている。そして、予告指令Ｎｒ（０１）とカウント値０１とが一致したときにゲート回路４２ｆからハイレベルのパルス信号が出力され、さらに、このパルス信号がゲート回路４２ｉからセンサ積分制御信号Ｓ３ｒとして出力される。
【００６４】
一方、カラーホイール４５は、表示コントローラ部３３から出力される同期信号Ｓ５に同期して回転し、図８に示すように、青色、赤色、緑色、白色の順に繰り返してセグメントが切り替わり、青色のセグメントに光源ランプ３７が照射された期間ｔ０〜ｔ２の時刻ｔ１に、マーカ信号Ｓ９がＣＷ制御部４４からセンサ制御部４２に出力される。また、カラーホイール４５のセグメント色の切り替わり時点では、カラーホイールセグメント信号Ｓ８がＣＷ制御部４４からセンサ制御部４２に出力されている。
【００６５】
期間ｔ２〜ｔ３では、この赤色全面画像を壁面に投影表示させた状態で、まず、センサ制御部４２がセンサ積分制御信号Ｓ３ｒを水平測距用の位相差センサ１３２に出力して駆動する。次いで、期間ｔ３〜ｔ４では、位相差センサ１３２から出力されるセンサ出力信号Ｓ４ｒをＡ／Ｄ変換器４２ａに入力し、Ａ／Ｄ変換器４２ａから出力される明度データＤｒをコントローラ部３９に設けられたＲＡＭに記憶することで、スクリーン上に表示された赤色全面画像の水平方向の明度データを順次に読み込んで取得する（ステップＢ２０）。
【００６６】
ここで、図４に示すスクリーン５６に代わって、壁面に投影されている全面画像の中央付近を観測対象とするには、フォトセンサアレイ５１のＡ１グループ、またはフォトセンサアレイ５２のＣ２グループから明度データを検出すればよい。すなわち、コントローラ部３９は、Ａ／Ｄ変換器４２ａからＲＡＭに読み込んだ明度データＤｒの中で、上述したＡ１グループ、またはＣ２グループの位置に相当する位置のデータを用いれば、壁面に投影された赤色全面画像６１の中央付近の赤色の明度を検出することができ、この赤色の明度データをＤｒとして内部のＲＡＭに記憶する。
【００６７】
次いで、コントローラ部３９は、画像記憶部４０に記憶されている緑色全面画像の画像データを読み出し、この画像データをスケーラ部３２から表示コントローラ部３３を介してビデオＲＡＭ部３４に転送し、緑色全面画像の画像データをビデオＲＡＭ部３４に記憶させることで、緑色全面画像を壁面に投影表示させる（ステップＢ３０）。これと同時に、ステップＢ３０では、コントローラ部３９は緑色全面画像を投影したときの緑色の明度データを位相差センサ１３２から取得することを示す予告指令Ｎｇを前もってセンサ制御部４２に出力する。この予告指令Ｎｇを受け付けたセンサ制御部４２は、カラーホイールセグメント信号Ｓ８を計数してカラーホイールセグメントが緑色になったときのみ、期間ｔ３〜ｔ４でハイレベルとなるセンサ積分制御信号Ｓ３ｇ（図８参照）を位相差センサ１３２に出力する。
【００６８】
具体的には、コントローラ部３９からの緑色を示す予告指令Ｎｇ（１０）が、ラッチ回路４２ｃにアドレス指定して書き込まれる。予告指令Ｎｇ（１０）とカウンタ回路４２ｄのカウント値（１０）とが一致したときにゲート回路４２ｇからハイレベルのパルス信号が出力され、さらに、このパルス信号がゲート回路４２ｉからセンサ積分制御信号Ｓ３ｇとして出力される。
【００６９】
期間ｔ３〜ｔ４では、この緑色全面画像を壁面に投影表示させた状態で、まず、センサ制御部４２がセンサ積分制御信号Ｓ３ｇを位相差センサ１３２に出力して駆動する。次いで、期間ｔ４〜ｔ５では、位相差センサ１３２から出力されるセンサ出力信号Ｓ４ｇをＡ／Ｄ変換器４２ａに入力し、Ａ／Ｄ変換器４２ａから出力される明度データＤｇをコントローラ部３９に設けられたＲＡＭに記憶することで、スクリーン上に表示された緑色全面画像の水平方向の明度データを順次に読み込んで取得する（ステップＢ４０）。このとき、コントローラ部３９は、Ａ／Ｄ変換器４２ａからＲＡＭに読み込んだ明度データＤｇの中で、上述したＡ１グループ、またはＣ２グループの位置に相当する位置のデータを用いれば、壁面に投影された緑色全面画像の中央付近の緑色の明度を検出することができ、この緑色の明度データをＤｇとして内部のＲＡＭに記憶する。
【００７０】
次いで、コントローラ部３９は、画像記憶部４０に記憶されている白色全面画像の画像データを読み出し、この画像データをスケーラ部３２から表示コントローラ部３３を介してビデオＲＡＭ部３４に転送し、白色全面画像の画像データをビデオＲＡＭ部３４に記憶させることで、白色全面画像を壁面に投影表示させる（ステップＢ５０）。これと同時に、ステップＢ３０では、コントローラ部３９は白色全面画像を投影したときの白色の明度データを位相差センサ１３２から取得することを示す予告指令Ｎｗを前もってセンサ制御部４２に出力する。この予告指令Ｎｗを受け付けたセンサ制御部４２は、カラーホイールセグメント信号Ｓ８を計数してカラーホイールセグメントが白色になったときのみ、期間ｔ４〜ｔ５でハイレベルとなるセンサ積分制御信号Ｓ３ｗ（図８参照）を位相差センサ１３２に出力する。
【００７１】
具体的には、コントローラ部３９からの白色を示す予告指令Ｎｗ（１１）が、ラッチ回路４２ｃにアドレス指定して書き込まれる。予告指令Ｎｗ（１１）とカウンタ回路４２ｄのカウント値（１１）とが一致したときにゲート回路４２ｈからハイレベルのパルス信号が出力され、さらに、このパルス信号がゲート回路４２ｉからセンサ積分制御信号Ｓ３ｗとして出力される。
【００７２】
期間ｔ４〜ｔ５では、この白色全面画像を壁面に投影表示させた状態で、まず、センサ制御部４２がセンサ積分制御信号Ｓ３ｗを位相差センサ１３２に出力して駆動する。次いで、期間ｔ５〜ｔ６では、位相差センサ１３２から出力されるセンサ出力信号Ｓ４ｗをＡ／Ｄ変換器４２ａに入力し、Ａ／Ｄ変換器４２ａから出力される明度データＤｗをコントローラ部３９に設けられたＲＡＭに記憶することで、スクリーン上に表示された緑色全面画像の水平方向の明度データを順次に読み込んで取得する（ステップＢ６０）。このとき、コントローラ部３９は、Ａ／Ｄ変換器４２ａからＲＡＭに読み込んだ明度データＤｗの中で、上述したＡ１グループ、またはＣ２グループの位置に相当する位置のデータを用いれば、壁面に投影された白色全面画像の中央付近の白色の明度を検出することができ、この白色の明度データをＤｗとして内部のＲＡＭに記憶する。
【００７３】
次いで、コントローラ部３９は、画像記憶部４０に記憶されている青色全面画像の画像データを読み出し、この画像データをスケーラ部３２から表示コントローラ部３３を介してビデオＲＡＭ部３４に転送し、青色全面画像の画像データをビデオＲＡＭ部３４に記憶させることで、青色全面画像を壁面に投影表示させる（ステップＢ７０）。これと同時に、ステップＢ３０では、コントローラ部３９は青色全面画像を投影したときの青色の明度データを位相差センサ１３２から取得することを示す予告指令Ｎｂを前もってセンサ制御部４２に出力する。この予告指令Ｎｂを受け付けたセンサ制御部４２は、カラーホイールセグメント信号Ｓ８を計数してカラーホイールセグメントが青色になったときのみ、期間ｔ５〜ｔ６でハイレベルとなるセンサ積分制御信号Ｓ３ｂ（図８参照）を位相差センサ１３２に出力する。
【００７４】
具体的には、コントローラ部３９からの青色を示す予告指令Ｎｂ（００）が、ラッチ回路４２ｃにアドレス指定して書き込まれる。予告指令Ｎｂ（００）とカウンタ回路４２ｄのカウント値（００）とが一致したときにゲート回路４２ｅからハイレベルのパルス信号が出力され、さらに、このパルス信号がゲート回路４２ｉからセンサ積分制御信号Ｓ３ｂとして出力される。
【００７５】
期間ｔ５〜ｔ６では、この青色全面画像を壁面に投影表示させた状態で、まず、センサ制御部４２がセンサ積分制御信号Ｓ３ｂを位相差センサ１３２に出力して駆動する。次いで、期間ｔ６〜ｔ７では、位相差センサ１３２から出力されるセンサ出力信号Ｓ４ｂをＡ／Ｄ変換器４２ａに入力し、Ａ／Ｄ変換器４２ａから出力される明度データＤｂをコントローラ部３９に設けられたＲＡＭに記憶することで、スクリーン上に表示された青色全面画像の水平方向の明度データを順次に読み込んで取得する（ステップＢ８０）。このとき、コントローラ部３９は、Ａ／Ｄ変換器４２ａからＲＡＭに読み込んだ明度データＤｂの中で、上述したＡ１グループ、またはＣ２グループの位置に相当する位置のデータを用いれば、壁面に投影された青色全面画像の中央付近の青色の明度を検出することができ、この青色の明度データをＤｂとして内部のＲＡＭに記憶する。
【００７６】
次いで、コントローラ部３９は、白色のスクリーンに投影したときの三原色および白色の基準となる明度データＤｒｒ，Ｄｒｇ，Ｄｒｂ，Ｄｒｗを画像記憶部４０から読み出し、かつ、実際に検出した壁面の中央付近の明度データＤｒ，Ｄｇ，Ｄｂ，Ｄｗを内部のＲＡＭから読み出す。次いで、コントローラ部３９は、基準となる明度データＤｒｒ，Ｄｒｇ，Ｄｒｂ，Ｄｒｗから明度データＤｒ，Ｄｇ，Ｄｂ，Ｄｗをそれぞれ引いて差分値ΔＤｒ，ΔＤｇ，ΔＤｂ，ΔＤｗを算出する（ステップＢ９０）。
【００７７】
次いで、コントローラ部３９は、ステップＢ９０で算出された差分値ΔＤｒ，ΔＤｇ，ΔＤｂ，ΔＤｗに基づいて、壁面上に投影される画像が所望の色画像となるように補正するための各補正係数αｒ，αｇ，αｂ，αｗを算出する（ステップＢ１００）。ここで、ステップＢ１００では、補正係数は差分値を基準となる明度データで除算し、例えば補正係数αｒ＝ΔＤｒ／Ｄｒｒとして算出する。
【００７８】
同様にして補正係数αｇ，αｂ，αｗを算出する。なお、補正係数は０から１までの範囲の値となる。
【００７９】
次いで、コントローラ部３９は、スケーラ部３２にビデーレートで入力される映像データＤｉｒに対して、ステップＢ１００で算出された補正係数αｒを用いて、例えばＤｉｒ／（１−αｒ）を算出し、色補正された新たな映像データＤｏｒを生成して表示コントローラ部に出力する。
Ｄｏｒ＝Ｄｉｒ／（１−αｒ）                  （１）
【００８０】
同様にして、補正係数αｇ，αｂ，αｗを用いて、例えばＤｉｇ／（１−αｇ），Ｄｉｂ／（１−αｂ），Ｄｉｗ／（１−αｗ）を算出し、色補正された新たな映像データＤｏｇ，Ｄｏｂ，Ｄｏｗを生成して表示コントローラ部に出力する。
【００８１】
なお、例えばＤｉｒの範囲を０〜２５５とし、得られた補正係数αｒを用いて前もって新たな映像データＤｏｒ＝Ｄｉｒ／（１−αｒ）を算出した値を変換テーブルに記憶しておけば、Ｄｉｒに対応するＤｏｒを変換テーブルを参照して得ることができ、入力される映像信号の実時間で上述したような補正演算を行わなくて済む。Ｄｉｇ，Ｄｉｂ，Ｄｉｗについても同様である。
【００８２】
この映像データは、スケーラ部３２から表示コントローラ部３３を介してビデオＲＡＭ部３４に転送され、映像データをビデオＲＡＭ部３４に記憶させることで、上述したように壁面に投影表示させる。次いで、この図７に示す一連のサブルーチンを一旦終了して図６に示す処理に戻る。
【００８３】
図６では、ステップＡ３０での壁色補正処理（ＷＳ）を実行した後、その時点で上述したコンティニューモードが設定されているか否かを判断する（ステップＡ４０）。
【００８４】
ここで、コンティニューモードが設定されていると判断した場合、次いで２回目の「ＷＳ」キー１５ｒの操作がないことを確認した上で（ステップＡ５０）、ステップＡ３０に戻り、再度壁色補正処理（ＷＳ）を実行する。
【００８５】
こうしてコンティニューモードが設定されている状態では、２回目の「ＷＳ」キー１５ｄが操作されるまでステップＡ３０〜Ａ５０の処理を繰返し実行することで、壁色補正処理（ＷＳ）の処理を実行し続ける。
【００８６】
２回目の「ＷＳ」キー１５ｒが操作されたとステップＡ５０で判断した場合、およびステップＡ４０でコンティニューモードではなくワンショットモードが設定されていると判断した場合には、その時点で割込み処理である壁色補正処理（ＷＳ）を終了する状態を設定し（ステップＡ６０）、再びそれまでの動作に復帰した上で、再度の「ＷＳ」キー１５ｒの操作に備えてステップＡ１０からの処理に戻る。
【００８７】
このように、ＤＬＰ方式の投影装置にあっても、ユーザが本体メインキー／インジケータ１５の「ＷＳ」キー１５ｒを操作すると、そのキー操作に対応して、原色毎の全面画像を表示素子３６に与えてこの表示色とカラーホイールのセグメントの色とが一致する期間にのみ、位相差センサに積分制御信号を与えて壁面上に投影された全面画像の反射光の明度を検出するようにセンサ制御部４２が制御するので、壁面からの反射光の明度を原色毎に検出することができ、原色毎の明度に関する補正係数に基づいて、入力される原色毎の画像データを補正して表示素子３６に与えて壁面に投影するため、壁面の原色毎の明度に合わせて最適な壁色補正処理を行うことができる。
【００８８】
また、表示素子３６に与えられている全面画像の原色の種別と、カラーホイールのセグメントの切り替わり時期を示すセグメント信号と、カラーホイールの外周に設けられたマーカの位置を示すマーカ信号に基づいて、積分制御信号を生成して位相差センサに与えて明度を検出するようにセンサ制御部４２が制御するので、壁面からの反射光の明度をセグメントの原色毎に検出することができる。
【００８９】
また、カラーホイール４５のセグメントは、赤と緑と青の原色の組、または、赤と緑と青および白の原色の組からなり、画像記憶部４０は、カラーホイールのセグメントに合わせて、赤と緑と青の原色の組、または、赤と緑と青および白の原色の組からなる色補正の基準となる明度の各全面画像及び明度データを記憶するので、壁面に対して原色毎の明度に関する補正係数を算出することができる。
【００９０】
また、壁面に投影された全面画像との間の水平方向または垂直方向の距離を測定するための位相差センサにより、壁面に投影された全面画像の所定の目標点の明度を検出することができる。また、上記実施の形態では位相差センサを用いたが、位相差センサに限らず各色の全面画像を投影した時の明度データを取得できるセンサならなんでもよい。例えば汎用的なＣＣＤやＣ−ＭＯＳ等の撮像素子であってもよい。カラー又は白黒の撮像素子であれば同様に実現できる。
【００９１】
［第２の実施形態］
次に、本発明の第２の実施形態について説明する。本実施形態に係る投射装置は、第１の実施形態における白色光を発光する光源ランプに替えて、ＬＥＤ光源を用いたものである。
【００９２】
本実施形態に係る投射装置は、図３に示す第１の実施形態に係る投射装置の機能構成ブロックから、光源ランプ３７をＬＥＤ光源とし、カラーホイール４５を削除するとともに、ＣＷ制御部４４に替えて、ＬＥＤ光源の点灯制御を行う制御部を備えた構成になっている。
【００９３】
ここで、ＬＥＤ光源は、赤色光、緑色光、青色光をそれぞれ、発光色とするＬＥＤから構成されている。また、ＬＥＤ光源の点灯制御を行う制御部は、ＬＥＤ光源を構成する各ＬＥＤの点灯を制御して、赤色光、緑色光、青色光およびすべてのＬＥＤを同時点灯させることにより白色光を発光させる。
【００９４】
さらに、ＬＥＤ光源の点灯制御を行う制御部は、各ＬＥＤを点灯制御させる信号から第１の実施形態におけるカラーホイールマーカ信号Ｓ７、カラーホイールセグメント信号Ｓ８に相当する信号を生成する。
【００９５】
具体的には、例えば、カラーホイールセグメント信号Ｓ８に相当する信号は、各ＬＥＤを点灯制御させる信号の立ち上がりエッジをトリガに所定のパルス幅を有するワンショットパルスを生成することにより実現してもよいし、カラーホイールマーカ信号Ｓ７に相当する信号は、例えば、青色ＬＥＤの上記カラーホイールセグメント信号Ｓ８に相当する信号の立下りエッジをトリガに所定のパルス幅を有するワンショットパルスを生成することにより実現してもよい。
【００９６】
こうして、生成されたカラーホイールマーカ信号Ｓ７に相当する信号およびカラーホイールセグメント信号Ｓ８に相当する信号は、図９に示すようなロジック回路に入力され、ＬＥＤ光源の発色周期に同期したセンサ積分制御信号Ｓ１、Ｓ３が出力される。
【００９７】
そして、図４において、フォトセンサアレイ５１および５２からの撮像信号は、図９に示すようなロジック回路から出力されるＬＥＤ光源の発色周期に同期したセンサ積分制御信号Ｓ１、Ｓ３により積分され、この積分された信号が、図３において、積分センサ出力信号Ｓ２、Ｓ４として、センサ制御部４２に送られる。この積分センサ出力信号Ｓ２，Ｓ４は、センサ制御部４２でデジタル化され、コントローラ部３９に送られる。
【００９８】
コントローラ部３９は、積分センサ出力信号Ｓ２，Ｓ４から、フォトセンサアレイ５１，５２の位相（ｘ１，ｘ２）を検出し、そして、上述の（１）式に基づいて、被写体５３までの距離を算出する。そして、コントローラ部３９は、算出された距離に基づいて、ズーム／フォーカス制御部３８に制御信号を与え、ズーム位置およびフォーカス位置を適宜移動する。
【００９９】
以上説明したように、本発明の実施の形態においては、第１の実施形態と同様に、壁面の原色毎の明度に合わせて最適な壁色補正処理を行うことができる。また、ＬＥＤを光源として用いていることから、第１の実施形態と比較して、光源付近の構成を簡素化して装置の小型化を図ることができる。さらに、ＬＥＤを用いることから、発熱が少なく、高寿命でかつ省電力の投影装置を提供することができる。
【０１００】
その他、本発明は実施の形態に限らず、その要旨を逸脱しない範囲内で種々変形して実施することが可能であるものとする。
【０１０１】
さらに、実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【０１０２】
また、上述した実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ−ＲＯＭ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【図面の簡単な説明】
【０１０３】
【図１】本発明の第１の実施形態に係る投影装置として小型のプロジェクタ装置を例にした場合の外観構成を示す図である。
【図２】本実施形態のプロジェクタ装置に設けられた本体メインキー／インジケータの配置構成を示す図である。
【図３】本実施形態のプロジェクタ装置の電子回路の機能構成を示すブロック図である。
【図４】本実施形態の多点測距について説明するための図である。
【図５】本実施形態のプロジェクタ装置の赤色全面画像を白色のスクリーン上に表示したことを説明するための図である。
【図６】本実施形態のプロジェクタ装置のＷＳキー操作に対する処理内容を示すフローチャートである。
【図７】本実施形態のプロジェクタ装置の壁色補正処理（ＷＳ）のサブルーチンの処理内容を示すフローチャートである。
【図８】本実施形態のプロジェクタ装置のセンサ制御部により制御されるセンサ積分制御信号とセンサ出力信号との関係を示すタイミングチャートである。
【図９】本実施形態のプロジェクタ装置のセンサ制御部の具体的な回路構成を示す図である。
【符号の説明】
【０１０４】
１０…プロジェクタ装置、１１…本体ケーシング、１２…投影レンズ、１３ａ，１３ｂ，１３ｃ，１３ｄ…測距レンズ、１４…Ｉｒ受信部、１５…本体メインキー／インジケータ、１５ａ…電源（ｐｏｗｅｒ）キー、１５ｂ…ズーム（Ｚｏｏｍ）キー、１５ｃ…フォーカス（Ｆｏｃｕｓ）キー、１５ｄ…「ＡＦＫ」キー、１５ｅ…「Ｉｎｐｕｔ」キー、１５ｆ…「Ａｕｔｏ」キー、１５ｐ…電源／待機インジケータ、１５ｑ…温度インジケータ、１６…スピーカ、１７…カバー、１８…入出力コネクタ部、１９…Ｉｒ受信部、２０…ＡＣアダプタ接続部、２１…固定脚部、２２…調整脚部、３１…入出力インタフェース（Ｉ／Ｆ）、３１ａ，３１ｂ，３１ｃ…ビデオＡ／Ｄ変換器、３２…スケーラ部、３３…表示コントローラ部、３４…ビデオＲＡＭ、３５…表示駆動部、３６…表示素子、３７…光源ランプ、３８…レンズモータ（Ｍ）、３９…コントローラ部、３９ａ…測距結果記憶部、４０…画像記憶部、４１…音声処理部、４２…センサ制御部、４３…キー／インジケータ部、ＳＢ…システムバス、５１，５２…フォトセンサアレイ、５４，５５…被写体像、５６…スクリーン、６１…横チャート画像、６２〜６４…白線、Ｐ１〜３…測定点、７１…縦チャート画像、７２〜７４…白線、Ｐ４〜６…測定点、１３１，１３２…位相差センサ。
【図１】
2008028531.tif 000003
【図２】
2008028531.tif 000004
【図３】
2008028531.tif 000005
【図４】
2008028531.tif 000006
【図５】
2008028531.tif 000007
【図６】
2008028531.tif 000008
【図７】
2008028531.tif 000009
【図８】
2008028531.tif 000010
【図９】
2008028531.tif 000011